(57)【要約】【課題】予め定めた識別情報及び予め定めた位置座標が付加された複数頁の記録媒体に電子ペンで筆記する場合に、利用者により筆記内容の頁区切りが認識及び設定される筆記情報管理装置、筆記情報管理システム、及びプログラムを提供する。【解決手段】予め定めた識別情報及び予め定めた位置座標が付加された複数頁の記録媒体に対し電子ペンで筆記する際に取得された電子ペンのペン先の位置座標及び位置座標を取得したときの時間情報を含む筆記情報と、設定された時間間隔とに基づいて、電子ペンの筆記内容を、各々が時間的に連続して記載された複数のストロークを含む複数のストローク群に分割する分割手段と、複数のストローク群を時系列に表示する表示手段と、時系列に表示された複数のストローク群の群と群の間に頁区切りを設定する改頁手段と、を有する筆記情報管理装置とする。【選択図】図１４
2016081218.tif 000002
【特許請求の範囲】
【請求項１】
予め定めた識別情報及び予め定めた位置座標が付加された複数頁の記録媒体に対し電子ペンで筆記する際に取得された前記電子ペンのペン先の位置座標及び位置座標を取得したときの時間情報を含む筆記情報と、設定された時間間隔とに基づいて、前記電子ペンの筆記内容を、各々が時間的に連続して記載された複数のストロークを含む複数のストローク群に分割する分割手段と、
前記複数のストローク群を時系列に表示する表示手段と、
時系列に表示された前記複数のストローク群の群と群の間に頁区切りを設定する改頁手段と、
を有する筆記情報管理装置。
【請求項２】
前記分割手段が、前記ペン先が記録媒体と接触しないペンアップから次に前記ペン先が記録媒体と接触するペンダウンまでの時間間隔が、前記設定された時間間隔を超えた場合に異なるストローク群に含まれるように、前記筆記内容を複数のストローク群に分割する、請求項１に記載の筆記情報管理装置。
【請求項３】
前記分割手段が、次の文又は文節を筆記するのに要する時間間隔を前記設定された時間間隔とし、前記設定された時間間隔毎に前記筆記内容を複数のストローク群に分割する、請求項１に記載の筆記情報管理装置。
【請求項４】
前記複数のストローク群の中から選択された少なくとも１つのストローク群について前記設定された時間間隔の設定変更を行う設定変更手段を更に備え、
前記分割手段が、選択されたストローク群の筆記情報と再設定された時間間隔とに基づいて、前記選択されたストローク群の筆記内容を複数のストローク群に分割し、
前記表示手段が、分割後の複数のストローク群を時系列に表示する、
請求項１から請求項３までの何れか１項に記載の筆記情報管理装置。
【請求項５】
前記分割手段が、個々のストローク群に含まれるストローク数が予め定めた閾値以下となるように、前記筆記内容を複数のストローク群に分割する、請求項１から請求項４までの何れか１項に記載の筆記情報管理装置。
【請求項６】
予め定めた識別情報及び予め定めた位置座標が付加された複数頁の記録媒体と、
前記複数頁の記録媒体の各々に筆記すると共に、ペン先の位置座標及び位置座標を取得したときの時間情報を含む筆記情報を外部に送信する電子ペンと、
電子ペンから受信した筆記情報と設定された時間間隔とに基づいて、電子ペンの筆記内容を、各々が時間的に連続して記載された複数のストロークを含む複数のストローク群に分割する分割手段と、前記複数のストローク群を時系列に表示する表示手段と、時系列に表示された前記複数のストローク群の群と群の間に頁区切りを設定する改頁手段と、を有する筆記情報管理装置と、
を備えた筆記情報管理システム。
【請求項７】
コンピュータを、
予め定めた識別情報及び予め定めた位置座標が付加された複数頁の記録媒体に対し電子ペンで筆記する際に取得された前記電子ペンのペン先の位置座標及び位置座標を取得したときの時間情報を含む筆記情報と、設定された時間間隔とに基づいて、前記電子ペンの筆記内容を、各々が時間的に連続して記載された複数のストロークを含む複数のストローク群に分割する分割手段と、
前記複数のストローク群を時系列に表示する表示手段と、
時系列に表示された前記複数のストローク群の群と群の間に頁区切りを設定する改頁手段と、
して機能させるプログラム。
【発明の詳細な説明】
【技術分野】
【０００１】
本発明は、筆記情報管理装置、筆記情報管理システム、及びプログラムに関する。
【背景技術】
【０００２】
特許文献１には、媒体への筆記及び当該筆記の内容の電子化のために用いられる特定の電子筆記具の指定を受け付ける受付手段と、前記受付手段が受け付けた前記特定の電子筆記具の指定に基づいて、当該特定の電子筆記具によってなされた異なる複数の媒体への筆記の内容を電子化した筆記情報を取得する取得手段と、複数の前記筆記情報と前記特定の電子筆記具によって筆記がなされた時間とに基づいて前記取得手段により一元的に取得された複数の前記筆記情報を一覧可能な形式で表示するための表示情報を生成する生成手段と、を備えたことを特徴とする筆記情報管理装置が開示されている（特許文献１の請求項１から３を参照）。
【０００３】
特許文献２には、手書きで入力された文章を認識するオンライン手書き文章認識方法において、それぞれ入力された順に整列したストロークデータ列として手書きデータを作成する第１のステップと、前記第１のステップで作成された複数の手書きデータを、同じ手書きデータに属するストロークデータ間ではその順序を維持しながら、また、異なる手書きデータに属するストロークデータ間では相互のストロークの位置関係により順序を決定して結合して１つのストロークデータ列とする第２のステップとを含むことを特徴とするオンライン手書き文章認識方法が開示されている（特許文献２の請求項１、２を参照）。
【０００４】
特許文献３には、ドットパターンが印刷された特殊ペーパと、ドットパターンを読み取って当該特殊ペーパへの書き込み内容をデジタル化する電子ペンとを利用したシステムにおいて、上記特殊ペーパに対して所定の識別マークを印刷する手段と、上記識別マーク部分に書き込んだチェックマーク図形のデジタル化データに基づいて，特殊ペーパに書き込んだ内容のデジタル化データがどの特殊ペーパに書き込まれたものであるかを識別する手段とを有することを特徴とする特殊ペーパ管理装置が開示されている（特許文献３の請求項１を参照）。
【０００５】
特許文献４には、電子ペンにより認識可能なドットパターンが印刷された電子ペン用帳票に記入された情報を処理する処理装置において、前記電子ペン用帳票に記入された記入情報を取得する記入情報取得手段と、前記記入情報に含まれる記入時刻に基づいて、所定時間以上の空白時間を特定する空白時間特定手段と、前記空白時間特定手段が空白時間を特定できたか否かを判定する空白有無判定手段と、前記空白有無判定手段が空白時間が特定できないと判定した場合に、前記記入情報取得手段が取得した記入情報を１つのデータと特定する第一データ特定手段と、前記空白有無判定手段が空白時間が特定できたと判定した場合に、前記空白時間に基づいて前記記入情報を分割する分割手段と、前記分割手段が分割した記入情報をそれぞれ１つのデータと特定する第二データ特定手段と、を備えることを特徴とする処理装置が開示されている（特許文献４の請求項１を参照）。
【０００６】
特許文献５には、コード化パターンを読み取り、前記コード化パターンに応じた記入情報を生成する電子ペンと、前記電子ペンにより読み取り可能なコード化パターンが印刷され、記入者が前記電子ペンによって手書きストロークを記入する記入用紙と、前記電子ペンから前記記入情報を受信して、当該記入情報に応じた処理を行う端末装置と、を備える電子ペンシステムであって、前記端末装置は、記入者によって前記記入用紙に記入された手書きストロークの中で表示すべき手書きストロークを切り出すための切り出し時間帯を、複数回設定する切り出し時間帯設定手段と、前記切り出し時間帯設定手段によって複数回設定された切り出し時間帯の中で、選択された回に設定された切り出し時間帯内に記入された手書きストロークを表示するストローク表示手段と、を備えることを特徴とする電子ペンシステムが開示されている（特許文献５の請求項１を参照）。
【先行技術文献】
【特許文献】
【０００７】
【特許文献１】特開２００８-１８１３３９号公報
【特許文献２】特開平１１-２８２９６１号公報
【特許文献３】特開２００４-０８８６７６号公報
【特許文献４】特開２００７-１８８１６７号公報
【特許文献５】特開２０１３-０２５６８２号公報
【発明の概要】
【発明が解決しようとする課題】
【０００８】
従来、複数頁の記録媒体に電子ペンで筆記する場合は、頁毎に異なる識別情報や異なる位置座標を付加して複数頁の記録媒体の各々を区別していた（特許文献１から３）。また、筆記情報に含まれる時間情報に基づいて、ストローク間の空白時間から複数頁の記録媒体の各々を区別していた（特許文献４）。更に、所定時間帯に記載された手書きストロークを切り出して表示する電子ペンシステムもある（特許文献５）。
【０００９】
本発明の目的は、予め定めた識別情報及び予め定めた位置座標が付加された複数頁の記録媒体に電子ペンで筆記する場合に、利用者により筆記内容の頁区切りが認識及び設定される筆記情報管理装置、筆記情報管理システム、及びプログラムを提供することにある。
【課題を解決するための手段】
【００１０】
請求項１に記載の発明は、予め定めた識別情報及び予め定めた位置座標が付加された複数頁の記録媒体に対し電子ペンで筆記する際に取得された前記電子ペンのペン先の位置座標及び位置座標を取得したときの時間情報を含む筆記情報と、設定された時間間隔とに基づいて、前記電子ペンの筆記内容を、各々が時間的に連続して記載された複数のストロークを含む複数のストローク群に分割する分割手段と、前記複数のストローク群を時系列に表示する表示手段と、時系列に表示された前記複数のストローク群の群と群の間に頁区切りを設定する改頁手段と、を有する筆記情報管理装置である。
【００１１】
請求項２に記載の発明は、前記分割手段が、前記ペン先が記録媒体と接触しないペンアップから次に前記ペン先が記録媒体と接触するペンダウンまでの時間間隔が、前記設定された時間間隔を超えた場合に異なるストローク群に含まれるように、前記筆記内容を複数のストローク群に分割する、請求項１に記載の筆記情報管理装置である。
【００１２】
請求項３に記載の発明は、前記分割手段が、次の文又は文節を筆記するのに要する時間間隔を前記設定された時間間隔とし、前記設定された時間間隔毎に前記筆記内容を複数のストローク群に分割する、請求項１に記載の筆記情報管理装置である。
【００１３】
請求項４に記載の発明は、前記複数のストローク群の中から選択された少なくとも１つのストローク群について前記設定された時間間隔の設定変更を行う設定変更手段を更に備え、前記分割手段が、選択されたストローク群の筆記情報と再設定された時間間隔とに基づいて、前記選択されたストローク群の筆記内容を複数のストローク群に分割し、前記表示手段が、分割後の複数のストローク群を時系列に表示する、請求項１から請求項３までの何れか１項に記載の筆記情報管理装置である。
【００１４】
請求項５に記載の発明は、前記分割手段が、個々のストローク群に含まれるストローク数が予め定めた閾値以下となるように、前記筆記内容を複数のストローク群に分割する、請求項１から請求項４までの何れか１項に記載の筆記情報管理装置である。
【００１５】
請求項６に記載の発明は、予め定めた識別情報及び予め定めた位置座標が付加された複数頁の記録媒体と、前記複数頁の記録媒体の各々に筆記すると共に、ペン先の位置座標及び位置座標を取得したときの時間情報を含む筆記情報を外部に送信する電子ペンと、電子ペンから受信した筆記情報と設定された時間間隔とに基づいて、電子ペンの筆記内容を、各々が時間的に連続して記載された複数のストロークを含む複数のストローク群に分割する分割手段と、前記複数のストローク群を時系列に表示する表示手段と、時系列に表示された前記複数のストローク群の群と群の間に頁区切りを設定する改頁手段と、を有する筆記情報管理装置と、を備えた筆記情報管理システムである。
【００１６】
請求項７に記載の発明は、コンピュータを、予め定めた識別情報及び予め定めた位置座標が付加された複数頁の記録媒体に対し電子ペンで筆記する際に取得された前記電子ペンのペン先の位置座標及び位置座標を取得したときの時間情報を含む筆記情報と、設定された時間間隔とに基づいて、前記電子ペンの筆記内容を、各々が時間的に連続して記載された複数のストロークを含む複数のストローク群に分割する分割手段と、前記複数のストローク群を時系列に表示する表示手段と、時系列に表示された前記複数のストローク群の群と群の間に頁区切りを設定する改頁手段と、して機能させるプログラムである。
【発明の効果】
【００１７】
請求項１、請求項６、請求項７に記載の発明によれば、予め定めた識別情報及び予め定めた位置座標が付加された複数頁の記録媒体に電子ペンで筆記する場合に、利用者により筆記内容の頁区切りが認識及び設定される。
【００１８】
請求項２に記載の発明によれば、筆記が行われていない時間に基づいて筆記内容が複数のストローク群に分割される。
【００１９】
請求項３に記載の発明によれば、文又は文節を筆記するのに要する時間に基づいて筆記内容が複数のストローク群に分割される。
【００２０】
請求項４に記載の発明によれば、筆記内容の時系列な繋がりの誤りが利用者により訂正される。
【００２１】
請求項５に記載の発明によれば、個々のストローク群に含まれるストローク数を制限することができる。
【図面の簡単な説明】
【００２２】
【図１】本発明の実施の形態に係る筆記情報管理システムの構成の一例を示す概略図である。
【図２】（Ａ）は識別情報及び位置座標を示す符号画像が形成された記録媒体の図案の一例を示す概略図である。（Ｂ）は符号画像の一部を拡大して示す部分拡大図である。
【図３】符号画像を構成する符号パターンの一例を示す概略図である。
【図４】符号パターンを構成する単位パターンの一例を示す概略図である。
【図５】電子ペンの構成の一例を示す概略図である。
【図６】筆記情報管理装置の電気的な構成の一例を示すブロック図である。
【図７】（Ａ）は電子ペンによる筆記内容の一例を示す模式図である。（Ｂ）から（Ｈ）は（Ａ）に示す筆記内容の一部をストローク単位で示す模式図である。
【図８】筆記情報管理装置で管理される筆記情報の具体例を示す図表である。
【図９】（Ａ）及び（Ｂ）は異なる記録媒体に筆記された筆記内容の一例を示す模式図である。（Ｃ）は（Ａ）及び（Ｂ）に示す筆記内容の位置座標による表示例を示す模式図である。
【図１０】設定する時間間隔の一例を示す模式図である。
【図１１】筆記表示時の表示画面の一例を示す模式図である。
【図１２】筆記選択時の表示画面の一例を示す模式図である。
【図１３】頁区切り時の表示画面の一例を示す模式図である。
【図１４】筆記内容表示処理の手順の一例を示すフローチャートである。
【図１５】筆記内容分割処理の手順の一例を示すフローチャートである。
【図１６】誤り訂正処理の手順の一例を示すフローチャートである。
【図１７】頁区切り処理の手順の一例を示すフローチャートである。
【図１８】設定する時間間隔の他の一例を示す模式図である。
【図１９】筆記内容表示処理の手順の他の一例を示すフローチャートである。
【発明を実施するための形態】
【００２３】
以下、図面を参照して本発明の実施の形態の一例を詳細に説明する。
【００２４】
＜筆記情報管理システム＞
まず、本実施の形態に係る筆記情報管理システムの一例について説明する。
図１は本発明の実施の形態に係る筆記情報管理システム１０の構成の一例を示す概略図である。図１に示すように、筆記情報管理システム１０は、記録媒体２０、電子ペン３０、及び筆記情報管理装置４０を備えている。記録媒体２０は、識別情報及び位置座標を示す符号画像が予め形成された記録媒体である。識別情報及び位置座標の各々が、記録媒体２０に付加されている。図１には１枚の記録媒体２０しか図示されていないが、本実施の形態では、同じ符号画像が予め形成された複数頁の記録媒体２０に対し、同じ電子ペン３０で筆記する場合を前提とする。
【００２５】
電子ペン３０は、インクを用いて記録媒体２０上に筆記する筆記具である。また、電子ペン３０は、筆記時のペン先周辺の記録媒体２０の画像を撮像して、撮像画像等から筆記情報を取得するペン型の画像読取装置である。ここで「筆記情報」には、ペン先の位置座標、及び位置座標を取得したときの時間情報が含まれる。更に「筆記情報」は、記録媒体２０を識別する識別情報、及びペン先と記録媒体２０との接触状態を表すペン先情報を含んでいてもよい。電子ペン３０は、上記の通り記録媒体２０に筆記する際に筆記情報を取得し、取得した筆記情報を有線又は無線の通信回線（図示せず）を介して筆記情報管理装置４０へと送信する。
【００２６】
筆記情報管理装置４０は、利用者が使用するコンピュータ等の情報処理装置及び周辺装置である。本実施の形態では、筆記情報管理装置４０は、電子ペン３０から受信した筆記情報に基づいて「筆記内容表示処理」を実行する。即ち、筆記情報管理装置４０は、受信した筆記情報と設定された時間間隔とに基づいて、電子ペンの筆記内容を複数のストローク群に分割する。複数のストローク群の各々は、時間的に連続して記載された複数のストロークを含む。そして、複数のストローク群を時系列に表示し、時系列に表示された前記複数のストローク群の群と群の間に頁区切りを設定する改頁手段を利用者に与える。なお、具体的な処理については後述する。
【００２７】
＜符号画像が形成された記録媒体＞
次に、記録媒体について説明する。
図２（Ａ）は識別情報及び位置座標を示す符号画像が形成された記録媒体の図案の一例を示す概略図である。図２（Ｂ）は符号画像の一部を拡大して示す部分拡大図である。図２（Ａ）にドットを用いて模式的に示すように、記録媒体２０には、識別情報及び位置座標を示す符号画像が形成されている。また、記録媒体２０には、利用者に対するメッセージ２２、電子ペンによる記入欄２４等が形設けられている。なお、符号画像は、記録媒体２０の全面に形成されていてもよく、情報記録領域等、記録媒体２０の特定の領域にだけ形成されていてもよい。また、符号画像は、記録媒体２０の表裏両面に形成されていてもよい。
【００２８】
符号画像は主に赤外領域に吸収を有する画像形成材料、例えば、カーボンブラック等の黒色の画像形成材料や、赤外線吸収剤を用いて形成されている。赤外線吸収材料としては、波長７５０ｎｍから波長１０００ｎｍまでの赤外領域に光吸収ピークを有するものが用いられる。黒色の符号画像は、自然光や白色光の下で肉眼により視認される。赤外線吸収剤により形成された赤外画像は、自然光や白色光の下では肉眼により視認することが困難であり、赤外線を照射して反射された赤外線を検出することにより読み取られる。本実施の形態では、符号画像は赤外線吸収剤を用いて形成されているものとして説明する。一方、メッセージ２２や記入欄２４は可視領域に吸収を有する画像形成材料を用いて形成されており、自然光や白色光の下で肉眼により視認される。
【００２９】
ここで、本実施の形態で用いる「符号画像」について説明する。
「符号画像」とは、情報を符号化（コード化）したパターン画像であり、予め定めた規則によりパターン画像から元の情報が復号（デコード）される。本実施の形態では、符号パターンとして、複数のドットが二次元状に配列されたドットコードパターンが用いられる。ここで「ドット」とは、画像形成材料が載る部分であり、図２（Ｂ）では黒い四角（■）で表されている。
【００３０】
図２（Ｂ）は符号画像の一部を拡大して示す部分拡大図である。図２（Ｂ）に示すように、記録媒体２０の一部分２０Ａに形成された符号画像は、二次元状に配列された複数の符号パターン２６を含んでいる。また、複数の符号パターン２６の各々は、二次元状に配列された複数の単位パターン２８を含んでいる。
【００３１】
符号パターン２６は、識別情報及び位置座標の各々を復号するための読取単位である。例えば、ＱＲコード（登録商標）であれば、１個のＱＲコード（登録商標）に相当する。符号パターン２６毎に識別情報及び位置座標が復号される。単位パターン２８は、符号パターン２６を構成する最小単位であり、１ビット又は複数ビットの情報を表現する。本実施の形態では、符号パターン２６は複数の単位パターン２８を含んでおり、複数の単位パターン２８の各々を読み取って、符号パターン２６に対応する情報が復号される。
【００３２】
図４は符号パターンを構成する単位パターン２８の一例を示す概略図である。図４に示すように、単位パターン２８は、ドットが配置されるドット配置領域と、ドットが配置されない非配置領域とに区分されている。この例では１ドットのサイズは「２画素×２画素」である。黒色領域２８Ａは、ドット配置領域にドットが配置されていることを示す。グレー領域２８Ｂは、ドット配置領域にドットが配置されていないことを示す。白色領域２８Ｃは、ドットが配置されない非配置領域であることを示す。
【００３３】
図４に示す単位パターン２８では、ドット配置領域は９箇所あり、９箇所中から選択された２箇所にドットが配置される。９箇所の中から２箇所を選択する組合せは３６通り（＝９Ｃ２）あるので、３６種類の単位パターン２８があることになる。例えば、このうち３２種類の単位パターン２８を用いることで、５ビットの情報が表現される。
【００３４】
図３は符号画像を構成する符号パターン２６の一例を示す概略図である。図３に示すように、符号パターン２６には、複数の単位パターン２８が予め定めたレイアウトで配列されている。ここで単位パターン２８が配置される位置を「単位ブロック」という。この例では、２５（＝５×５）個の単位ブロックが配列されており、各単位ブロックには、いずれかの単位パターン２８が配置される。この例では、４種類の単位パターン２８が、画像の回転を検出する同期符号２６Ａとして使用されている。また、残り３２種類の単位パターン２８が、Ｘ座標を表すＸ位置符号２６Ｂ、Ｙ座標を表すＹ位置符号２６Ｃ、識別情報を表す識別符号２６Ｄとして使用されている。
【００３５】
図３に示すレイアウトでは、符号パターン２６の左上の単位ブロックには、同期符号２６Ａが配置されている。同期符号２６Ａの右側に並ぶ４つの単位ブロックには、Ｘ座標を表すＸ位置符号２６Ｂが配置されている。同期符号２６Ａの下側に並ぶ４つの単位ブロックには、Ｙ座標を表すＹ位置符号２６Ｃが配置されている。また、Ｘ位置符号２６Ｂ及びＹ位置符号２６Ｃに囲まれた領域に在る１６（＝４×４）個の単位ブロックには、識別符号２６Ｄが配置されている。なお、図４は単位パターン２８のレイアウトの一例を示すものであり、同期符号２６Ａ、Ｘ位置符号２６Ｂ、Ｙ位置符号２６Ｃ、及び識別符号２６Ｄの各々は、３２種類中のいずれかの単位パターン２８に置き換えられる。
【００３６】
ここで、符号パターン単位での復号原理について簡単に説明する。
符号画像から読み取られたドット配列に対し、符号パターン２６と同じ大きさのフレームを重ね合わせる。フレームは、単位ブロックと同じ大きさの複数の開口を有している。複数の開口は、単位ブロックと同じレイアウトで配列されている。ドット配列に対しフレームを移動させながら、各開口内のドット数が２となるようにフレームの位置を調整する。これにより、１つの符号パターン２６に対応するドット配列が検出される。
【００３７】
符号パターン２６に対応するドット配列が検出されると、検出されたドット配列の中から同期符号２６Ａを検出して、画像の回転を判定する。判定結果に応じてドット配列を回転させて、ドット配列を正しい向きに設定する。これにより、符号パターン２６と同じレイアウトで単位パターン２８が配列された正規のドット配列が取得される。次に、取得された正規のドット配列から、Ｘ位置符号２６Ｂ、Ｙ位置符号２６Ｃ、及び識別符号２６Ｄの各々に対応する単位パターン２８を検出して、識別情報及び位置座標を復号する。
【００３８】
１つの符号パターン２６の復号処理が終了すると、ドット配列に対しフレームを移動させて、次の符号パターン２６に対応するドット配列を検出し、上記手順を繰り返し行って、次の符号パターン２６から識別情報及び位置座標を復号する。これにより、符号パターン２６毎に、識別情報及び位置座標が復号される。なお、フレームは、符号パターン２６を読み取る順序に従って移動する。本実施の形態では、フレームの移動方向は、電子ペン３０のペン先の移動方向となる。
【００３９】
＜電子ペン＞
次に、電子ペンの構成について説明する。
図５は電子ペンの構成の一例を示す概略図である。図５に示すように、電子ペン３０は、ペンチップ３１、圧力検知部３２、赤外線照射部３３、画像読取部３４、記憶部３５、通信部３６、電源３７、時間計測部３８及び制御部３９を備えている。これらの各部は、図示しない保持機構により保持されて筒状の筐体内に収納されている。赤外線照射部３３、画像読取部３４、記憶部３５、通信部３６及び電源３７の各々は、制御部３９に接続され、制御部３９により制御されている。圧力検知部３２及び時間計測部３８の各々も、制御部３９に接続され、検知結果、計測結果を制御部３９に出力する。
【００４０】
ペンチップ３１は、ボールペンのレフィル等の筒状のインク収容部である。ペンチップ３１には、可視領域に吸収を有する画像形成材料であるインクが収容されている。ペンチップ３１は、先端部が電子ペン３０のペン先３０Ａとなるように、図示しない保持機構によって筐体に保持されている。電子ペン３０による筆記の際には、ペン先３０Ａから記録媒体２０上にインクが供給される。
【００４１】
圧力検知部３２は、ペン先３０Ａに掛かる圧力の増減を検知する圧力センサを備えている。圧力検知部３２は、圧力センサにより検知された圧力からペン先と記録媒体との接触状態を検知する。ペン先３０Ａが記録媒体２０に接触する「ぺンダウン」により圧力が上限閾値以上に増加し、ペン先３０Ａが記録媒体２０から離れる「ペンアップ」により圧力が下限閾値以下に減少する。圧力検知部３２は、ぺンダウン又はペンアップを表すペン先情報を、検知結果として制御部３９に出力する。
【００４２】
赤外線照射部３３は、ペン先３０Ａ周辺の記録媒体２０に赤外線を照射する。赤外線照射部３３は、駆動部（図示せず）を介して制御部３９に接続されており、制御部３９により駆動制御される。赤外線照射部３３としては、赤外ＬＥＤ（Light Emitting Diode）等、赤外領域の光を発光する発光素子が用いられる。
【００４３】
画像読取部３４は、ペン先３０Ａ周辺の記録媒体２０から反射された赤外線を検出して、ペン先３０Ａ周辺の記録媒体２０から符号画像を読み取る。画像読取部３４は、符号画像を読み取ってアナログの画像信号を生成し、アナログ信号をディジタル信号に変換して、ディジタルの画像信号を制御部３９に出力する。画像読取部３４としては、赤外ＣＭＯＳ（Complementary Metal Oxide Semiconductor）イメージセンサ等、赤外領域に感度を有するイメージセンサが用いられる。
【００４４】
記憶部３５は、ハードディスク等の記憶装置である。記憶部３５には、電子ペン３０を識別するペン識別情報が予め記憶されている。また、記憶部３５には、制御部３９により取得された筆記情報が記憶される。上記の通り、本実施の形態では、筆記情報には、識別情報、ペン先情報、位置座標、及び時間情報が含まれる。
【００４５】
通信部３６は、有線又は無線の通信回線を介して外部装置と通信を行うためのインターフェースである。本実施の形態では、通信部３６は、主に、取得された筆記情報を筆記情報管理装置４０に送信する送信手段として機能する。電源３７は、電子ペン３０を駆動するためのバッテリー電源である。時間計測部３８は、現在時刻を保持する時間計測手段である。時間計測部３８は、位置座標が取得されたときの現在時刻を、計測結果として制御部３９に出力する。
【００４６】
制御部３９は、電子ペン全体の制御及び各種演算を行うコンピュータ（マイクロ・プロセッサ）として構成されている。即ち、制御部３９は、ＣＰＵ（中央処理装置;  Central Processing Unit）、各種プログラムを記憶したＲＯＭ（Read Only Memory）、プログラムの実行時にワークエリアとして使用されるＲＡＭ（Random Access Memory）、各種情報を記憶する不揮発性メモリ、及び入出力インターフェース（Ｉ／Ｏ）を備えている。ＣＰＵ、ＲＯＭ、ＲＡＭ、不揮発性メモリ、及びＩ／Ｏの各々は、バスを介して接続されている。
【００４７】
機能的に観れば、制御部３９は、読み取った符号画像を処理する画像処理部３９Ａと、画像処理部３９Ａによる処理結果等に基づいて情報処理を行う情報処理部３９Ｂとを備えている。以下、制御部３９により実行される処理を、電子ペン３０の動作として具体的に説明する。圧力検知部３２によりぺンダウンが検知されると、赤外線照射部３３からペン先３０Ａ周辺の記録媒体２０に赤外光を照射する。
【００４８】
画像読取部３４は、記録媒体２０から反射された赤外線を検出して符号画像を読み取る。画像処理部３９Ａは、ノイズ除去処理等の画像処理を行い、符号画像からドット配列を生成する。情報処理部３９Ｂは、上記の復号原理に基づいて、生成されたドット配列から識別情報及び位置座標を取得する。情報処理部３９Ｂは、位置座標を取得する度に、時間計測部３８から現在時刻を取得する。これにより、位置座標を取得したときの時間情報が取得される。
【００４９】
圧力検知部３２によりぺンアップが検知されると、赤外線照射部３３からの赤外光の照射が停止され、画像読取部３４による符号画像の読み取りが中止される。なお、情報処理部３９Ｂは、ペンダウン又はペンアップを検知する度に、時間計測部３８から現在時刻を取得する。これにより、ペンダウン又はペンアップを検知したときの時間情報が取得される。
【００５０】
制御部３９は、取得された筆記情報を記憶部３５に順次記憶する。そして、図示しないスイッチ等により送信が指示された場合、最初のペンダウンから一定時間が経過した場合等、予め定めたタイミングで、記憶部３５に記憶された筆記情報を、通信部３６を介して筆記情報管理装置４０に送信する。本実施の形態では、複数頁の記録媒体に対して電子ペンで筆記する際に取得された筆記情報が、通信部３６を介して筆記情報管理装置４０に送信される。
【００５１】
なお、上記の実施の形態で説明した電子ペン３０の構成は一例であり、種々の変形例が存在する。
【００５２】
＜筆記情報管理装置＞
次に、筆記情報管理装置の構成について説明する。
図６は筆記情報管理装置の電気的な構成の一例を示すブロック図である。図６に示すように、筆記情報管理装置４０は、制御部４１、表示部４２、操作部４３、通信部４４及び記憶部４５を備えている。なお、筆記情報管理装置４０の構成は一例であり、不要な機能部を削除したり、新たな機能部を追加したり、各部の構成、配置を変更してもよい。
【００５３】
制御部４１は、装置全体の制御及び各種演算を行うコンピュータとして構成されている。即ち、制御部４１は、ＣＰＵ４１Ａ、各種プログラムを記憶したＲＯＭ４１Ｂ、プログラムの実行時にワークエリアとして使用されるＲＡＭ４１Ｃ、各種情報を記憶する不揮発性メモリ４１Ｄ、及びＩ／Ｏ４１Ｅを備えている。ＣＰＵ４１Ａ、ＲＯＭ４１Ｂ、ＲＡＭ４１Ｃ、不揮発性メモリ４１Ｄ、及びＩ／Ｏ４１Ｅの各々は、バス４１Ｆを介して互いに接続されている。
【００５４】
表示部４２、操作部４３、通信部４４及び記憶部４５の各部は、制御部４１のＩ／Ｏ４１Ｅに接続されている。制御部４１は、表示部４２、操作部４３、通信部４４及び記憶部４５の各部との間で情報の授受を行い、これら各部を制御する。
【００５５】
表示部４２は、ディスプレイ等、利用者に操作画面等を表示する画像表示部である。操作部４３は、マウス及びキーボード等、利用者の操作を受け付ける操作部である。通信部４４は、有線又は無線の通信回線を介して外部装置と通信を行うためのインターフェースである。記憶部４５は、ハードディスク等の記憶装置である。記憶部４５には、電子ペンから取得された筆記情報、筆記情報管理装置４０により後述する「筆記内容表示処理」が実行された後の筆記情報等が記憶される。
【００５６】
なお、本実施の形態では、「筆記内容表示処理」を実行する制御プログラムが、ＲＯＭ４１Ｂに予め記憶されている場合について説明するが、制御プログラムは、他の記憶装置に記憶されていてもよい。また、制御プログラムを、通信部４４を介して外部から取得してもよい。また、各種ドライブを設けて、各種ドライブを介してＣＤ−ＲＯＭ等の情報記録媒体に記録された制御プログラムを取得してもよい。
【００５７】
＜筆記内容と筆記情報＞
次に筆記内容と筆記情報とについて説明する。
図７（Ａ）は電子ペンによる筆記内容の一例を示す模式図である。筆記内容とは電子ペン３０により筆記された文章の画像である。文章は、最も大きな単位であり、文、文節、単語、文字に分解される。句点「。」で区切られているものが「文」である。この文の意味を短く区切った一区切りを「文節」といい、意味をもつ言葉で且つ最小単位のことを「単語」という。 単語は１以上の「文字」から構成される。
【００５８】
図７（Ａ）に示す筆記内容５０１は「わたしは元気です。あなたは風邪ですか（。）」という２つの文を含む。図７（Ｂ）から図７（Ｈ）は図７（Ａ）に示す筆記内容の一部をストローク単位で示す模式図である。電子ペン３０により一筆で筆記される筆記内容をストロークという。ストロークは、ペン先３０Ａの軌跡であり、ペンダウンから次のペンアップまでに取得される、時間的に連続する位置座標の連結である。文字は１以上の「ストローク」から構成される。図示した例では、「わたし」という単語は、図７（Ｂ）から図７（Ｈ）の各々に示す複数のストロークから構成されている。
【００５９】
図８は筆記情報管理装置で管理される筆記情報の具体例を示す図表である。上記の通り、電子ペン３０から取得されたペン先情報、位置座標、及び時間情報の各々は、どのペンによりどの記録媒体に筆記したときの情報かが識別されるように、ペン識別情報及び（記録媒体）識別情報と関連付けて記憶される。即ち、ここでの筆記情報には、ペン識別情報、（記録媒体）識別情報、ペン先情報、位置座標、及び時間情報が含まれる。
【００６０】
図８に示す具体例は、ペン識別情報「００３」の電子ペンで、識別情報「１００１００１」の記録媒体に、図７（Ａ）に示す筆記内容５０１の最初の１文字だけを筆記した場合の筆記情報である。ペンダウン「Ｄ」と共に位置座標及び時間情報の取得が開始される。例えば１秒間に１００回等、１ストローク分が筆記される間に、複数の位置座標が取得される。同時に、位置座標を取得したときの時間情報が取得される。ペンダウン「Ｄ」からペンアップ「Ｕ」までの時間的に連続する位置座標の連結がストロークである。図８に示すように、ストロークの画像を表す「ストローク情報」を筆記情報に加えてもよい。
【００６１】
＜筆記内容の表示と改頁＞
（概要）
本実施の形態で実行される「筆記内容の表示と改頁」について説明する。
図９（Ａ）及び図９（Ｂ）は異なる記録媒体に筆記された筆記内容の一例を示す模式図である。ここでは、同じ電子ペンを用いて複数頁の記録媒体に頁番号順に筆記を行う。複数頁の記録媒体には同じ符号画像が形成されている。図示した例では、１頁目の記録媒体２０１のメッセージ欄２４１には、「わたしは元気です。あなたは風邪ですか（。）」という筆記内容５０１が記入されている。２頁目の記録媒体２０２のメッセージ欄２４２には、「インフルエンザが流行しています（。）」という筆記内容５０２が記入されている。
【００６２】
図９（Ｃ）は図９（Ａ）及び図９（Ｂ）に示す筆記内容の位置座標による表示例を示す模式図である。筆記内容５０１と筆記内容５０２とは、同じ符号画像が形成された記録媒体に筆記されたものであるから、時間を区別せずに位置座標に応じて表示すると、筆記内容５０１と筆記内容５０２との重なり５２が表示される。これでは、１頁目の記録媒体２０１に対する筆記内容５０１と、２頁目の記録媒体２０２に対する筆記内容５０２との区別がつかない。
【００６３】
本実施の形態では、同じ符号画像が形成された複数頁の記録媒体に電子ペンで筆記する際に取得された筆記情報を取得して、電子ペンの筆記内容を複数のストローク群に分割し、複数のストローク群を時系列に表示する。電子ペンの筆記内容は、設定された時間間隔に基づいて複数のストローク群に分割される。本実施の形態では、図１０に示すように、ペンアップから次のペンダウンまでの時間間隔Δｔに対し、上限閾値Δｔ(Max)を設定する。そして、時間間隔Δｔが上限閾値Δｔ(Max)を超えるストローク間で、電子ペンの筆記内容を分割する。
【００６４】
複数頁の記録媒体に電子ペンで筆記する場合、ペンアップから次のペンダウンまでの時間間隔Δｔは、改頁の際に大きくなると考えられる。また、同じ頁内では、文、文節、単語、文字等の文章の区切りで大きくなると考えられる。一方、利用者による筆記は不確実性が高く、難しい漢字の出現や集中力の欠如等により、時間間隔Δｔが大きくなることも予想される。
【００６５】
本実施の形態では、複数のストローク群を時系列に表示すると共に、時系列に表示された複数のストローク群の群と群の間に頁区切りを設定する改頁手段を利用者に提供する。これにより、同じ符号画像が形成された複数頁の記録媒体に電子ペンで筆記する場合に、利用者により筆記内容の頁区切りが認識及び設定される。
【００６６】
図１１〜図１３は表示画面の一例を示す模式図である。図示するように、表示画面６０には、筆記内容表示部７０、各種条件を設定する条件設定部、各種動作を選択する選択部、及び各種動作の実行又は中止を指示する指示部が設けられている。条件設定部としては、ペン識別情報が入力されるペンＩＤ入力部６１、記録媒体識別情報が入力される用紙ＩＤ入力部６２、時間間隔Δｔの上限閾値Δｔ(Max)が設定される時間設定部６３、及び後述する選択部について時間間隔Δｔの上限閾値Δｔ(Max)が設定される選択部時間設定部６４が設けられている。
【００６７】
図示した例では、ペンＩＤ入力部６１及び用紙ＩＤ入力部６２は、「××××××」等の文字列（数字を含む）の記入欄である。また、時間設定部６３及び選択部時間設定部６４は、「１秒、５秒、１０秒」等の選択肢をプルダウン形式で表示する選択欄である。これらは例示であり、条件設定部の各々は対象とする条件が設定できればよく、記入欄及び選択欄の何れとしてもよい。
【００６８】
選択部としては、筆記内容の表示を選択する筆記表示６５、頁区切りを選択する頁区切り６６、及び表示された筆記内容の一部を選択する筆記選択６７が設けられている。指示部としては、設定された条件下での動作の実行を指示する適用６８、及び動作の中止を指示する中止６９が設けられている。
【００６９】
筆記内容の複数のストローク列は、時間間隔Δｔが上限閾値Δｔ(Max)を超えるストローク間で分割される。筆記内容表示部７０には、複数のストローク群の各々が、複数のブロック８０に分けて、時系列に表示される。図示した例では、筆記内容表示部７０は、スクロールバー７２が設けられている。スクロール部７４を移動させることで、複数のストローク群の全部が表示される。
【００７０】
（筆記表示）
ここで筆記表示について説明する。図１１は筆記表示時の表示画面の一例を示す模式図である。図１１に示すように、例えば、時間設定部６３により時間間隔Δｔの上限閾値Δｔ(Max)を「１秒」に設定し、筆記表示６５により筆記内容の表示を選択して、適用６８により設定された条件下での動作の実行を指示する。この指示により、筆記内容が時間間隔Δｔが１秒を超えるストローク間で分割されて、ブロック８０に分けて時系列に表示される。例えば、筆記内容「わたしは元気です。あなたは風邪ですか（。）」は、「わたし」、「は」、「元気で」、「す。」、「あなたは風」「邪ですか（。）」というように、文節単位に近い複数のストローク群に分割される。
【００７１】
複数のブロック８０（ブロック８０１からブロック８０５）は時系列を表すように、上から下へと添字の番号順に並べられている。ブロック８０１には「わたし」、ブロック８０２には「は」、ブロック８０３には「元気で」、ブロック８０４には「す。」、ブロック８０５には「あなたは風」が割り当てられて、複数のストローク群の各々が時系列に表示される。なお、スクロールすることで、次のブロック８０６に割り当てられた「邪ですか（。）」が表示される。
【００７２】
（筆記選択）
次に、筆記選択について説明する。図１２は筆記選択時の表示画面の一例を示す模式図である。図１２に示すように、例えば、時間間隔Δｔの上限閾値Δｔ(Max)を「１０秒」に設定すると、２頁分の筆記内容「わたしは元気です。あなたは風邪ですか（。）インフルエンザが流行しています（。）」は、「わたしは元気です。」「あなたは風」「邪ですか（。）インフルエンザが」「流行しています（。）」というように、文単位に近い複数のストローク群に分割される。ブロック８０１には「わたしは元気です。」、ブロック８０２には「あなたは風」、ブロック８０３には「邪ですか（。）インフルエンザが」、ブロック８０４には「流行しています（。）」が割り当てられて、複数のストローク群の各々が時系列に表示される。
【００７３】
この例では、風邪の「邪」の文字の筆記に移るのに時間を要したために、「邪ですか（。）インフルエンザが」が１つのストローク群とされて、ブロック８０３では位置座標に応じて「インフルエンザが・・・邪ですか（。）」と誤った順序で表示されている。ここで、筆記選択６７により表示された筆記内容の一部を選択することにして、カーソル７６によりブロック８０３を選択する。そして、選択部時間設定部６４により時間間隔Δｔの上限閾値Δｔ(Max)を「５秒」に設定変更して、適用６８により設定された条件下での動作の実行を指示する。この指示により、ブロック８０３の筆記内容が時間間隔Δｔが５秒を超えるストローク間で分割される。
【００７４】
この例では、１頁目の記録媒体から２頁目の記録媒体の筆記に移るのに５秒より長く要したため、ブロック８０３の筆記内容「邪ですか（。）インフルエンザが」が、「邪ですか（。）」「インフルエンザが」というように異なるストローク群に分割される。そして、図１３に示すように、ブロック８０２には「あなたは風」、ブロック８０３には「邪ですか（。）」、ブロック８０４には「インフルエンザが」、ブロック８０５には「流行しています（。）」が割り当てられて、分割後の複数のストローク群の各々が時系列に表示される。
【００７５】
（頁区切り）
次に、頁区切りについて説明する。図１３は頁区切り時の表示画面の一例を示す模式図である。図１３に示すように、頁区切り６６により頁区切りを選択し、カーソル７６により頁区切り線７８を移動させて頁区切りの位置を設定し、適用６８により設定された条件下での動作の実行を指示する。この指示により、ブロック８０３の「邪ですか（。）」というストローク群と、ブロック８０４の「インフルエンザが」というストローク群との間に、頁区切りが設定される。即ち、２頁分の筆記内容「わたしは元気です。あなたは風邪ですか（。）インフルエンザが流行しています（。）」が、１頁目の筆記内容「わたしは元気です。あなたは風邪ですか（。）」と、２頁目の筆記内容「インフルエンザが流行しています（。）」とに分割される。
【００７６】
改頁手段は、上記の頁区切り位置の設定に限定される訳ではない。例えば、カーソル７６によりブロック８０３の「邪ですか（。）」というストローク群を、頁末のストローク群として選択してもよい。ブロック８０３のストローク群が頁末のストローク群として選択されることで、ブロック８０３のストローク群とブロック８０４のストローク群との間で改頁が行われる。
【００７７】
＜筆記内容表示処理＞
次に、「筆記内容表示処理」の具体的な手順について説明する。「筆記内容表示処理」の制御プログラムは、筆記情報管理装置４０の制御部４１のＣＰＵ４１Ａにより、ＲＯＭ４１Ｂから読み出されてＲＡＭ４１Ｃをワークエリアとして実行される。「筆記内容表示処理」の制御プログラムは、利用者の操作により筆記内容の表示が選択され且つ設定された条件下での動作の実行が指示されると開始される。
【００７８】
図１４は「筆記内容表示処理」の手順の一例を示すフローチャートである。図１４に示すように、まずステップ１００で、電子ペン３０から取得され予め記憶部４５に記憶されていた複数頁の記録媒体２０に対する筆記情報が取得される。次に、ステップ１０２で、筆記内容を複数のストローク群に分割する「筆記内容分割処理」を実行する。次に、ステップ１０４で、「筆記内容分割処理」の処理結果として、分割された筆記内容を時系列に並べて表示部４２に表示する。複数のストローク群の各々がブロックに割り当てられて時系列に表示される。なお、「筆記内容分割処理」については後述する。
【００７９】
次に、ステップ１０６で、表示された筆記内容の誤りを訂正する「誤り訂正処理」を実行する。「誤り訂正処理」は、利用者の指摘に基づいて実行してもよく、予め定めた基準に基づいて実行してもよい。例えば、複数のストローク群の各々に含まれるストローク数を求め、得られたストローク数が予め定めた閾値より大きいストローク群が存在する場合は、筆記内容に誤りがあるものとして「誤り訂正処理」を実行してもよい。なお、「誤り訂正処理」については後述する。
【００８０】
なお、本実施の形態では、「筆記内容分割処理」において、ストローク数が予め定めた閾値より大きいストローク群の発生が避けられるので、「誤り訂正処理」は、利用者の指摘に基づいて実行される。
【００８１】
次に、ステップ１０８で、複数頁の記録媒体に対する筆記内容に対して頁区切りを設定する「頁区切り処理」を実行する。複数頁の記録媒体に対する筆記内容が、頁毎に分割される。次に、ステップ１１０で、データ保存後に終了等の確定指示があったか否かを判断する。確定指示がない場合は、確定指示の有無を繰り返し判断する。一方、確定指示があった場合は、ステップ１１２に進み、処理後の筆記内容を記憶して処理を終了する。なお、「頁区切り処理」については後述する。
【００８２】
（筆記内容分割処理）  
ここで、上記の「筆記内容分割処理」について詳細に説明する。
図１５は「筆記内容分割処理」の手順の一例を示すフローチャートである。図１５に示すように、まずステップ２００で、ｎ番目のストロークと（ｎ＋１）番目のストロークとの間の時間間隔Δｔｎを算出する。ｎは１から開始する。即ち、最初は、１番目のストロークのペンアップの時間ｔ１と２番目のストロークのペンダウンの時間ｔ２との間の時間間隔Δｔ１（＝ｔ２−ｔ１）を算出する（図１０参照）。
【００８３】
次に、ステップ２０２で、時間間隔Δｔｎが上限閾値Δｔ(Max)以下か否かを判断する。時間間隔Δｔｎが上限閾値Δｔ(Max)以下の場合は、ステップ２０４に進む。一方、時間間隔Δｔｎが上限閾値Δｔ(Max)を超える場合は、ステップ２０８に進む。ステップ２０８では、ｎ番目のストロークと（ｎ＋１）番目のストロークとを異なるストローク群に分割して、ステップ２１０に進む。一方、時間間隔Δｔｎが上限閾値Δｔ(Max)以下の場合は、ステップ２０４に進む。
【００８４】
ステップ２０４では、（ｎ＋１）番目のストロークをｎ番目のストロークと同じストローク群に含めた場合の、ストローク群に含まれるストローク数を求め、得られたストローク数が予め定めた閾値以下かを判断する。ストローク数が予め定めた閾値以下の場合は、ステップ２０６に進む。ステップ２０６では、（ｎ＋１）番目のストロークをｎ番目のストロークと同じストローク群に統合して、ステップ２１０に進む。一方、ストローク数が予め定めた閾値を超える場合は、ステップ２０８に進む。ステップ２０８では、ｎ番目のストロークと（ｎ＋１）番目のストロークとを異なるストローク群に分割して、ステップ２１０に進む。
【００８５】
ステップ２１０で、次のストロークが在るか否かを判断する。次のストロークが在る場合は、ステップ２００に戻って、ステップ２００からステップ２１０までの手順を繰り返す。次のストロークが無い場合は、ステップ２１２に進む。ステップ２１２で、複数のストローク群に分割された筆記内容を記憶して、処理を終了する。
【００８６】
上記の通り、次のストロークが無くなるまで、ｎ番目のストロークと（ｎ＋１）番目のストロークとの統合と分割を行うことで、複数頁の記録媒体に対する筆記内容が、各々が時間的に連続して記載された複数のストローク群に分割される。
【００８７】
（誤り訂正処理）  
ここで、上記の「誤り訂正処理」について詳細に説明する。
図１６は「誤り訂正処理」の手順の一例を示すフローチャートである。図１６に示すように、まずステップ３００で、表示された筆記内容の一部を選択する筆記選択が行われたか否かを判断する。筆記選択が行われた場合は、ステップ３０２に進む。一方、筆記選択が行われていない場合は、処理を終了する。次に、ステップ３０２で、選択部について時間間隔Δｔの上限閾値Δｔ(Max)が設定されているか否かを判断する。
【００８８】
上限閾値Δｔ(Max)が設定されている場合は、ステップ３０４に進む。一方、上限閾値Δｔ(Max)が設定されていない場合は、ステップ３０２の判断を繰り返し行う。ステップ３０４では、選択部の筆記内容を、再設定された時間間隔Δｔの上限閾値Δｔ(Max)に基づいて、複数のストローク群に再分割する。次に、ステップ３０６で、再分割された筆記内容を時系列に並べて表示部４２に表示して、処理を終了する。
【００８９】
（頁区切り処理）  
ここで、上記の「頁区切り処理」について詳細に説明する。
図１７は「頁区切り処理」の手順の一例を示すフローチャートである。図１７に示すように、まずステップ４００で、頁区切りが選択されたか否かを判断する。頁区切りが選択された場合は、ステップ４０２に進む。一方、頁区切りが選択されていない場合は、ステップ４０４に進む。ステップ４０４では、時間間隔Δｔが改頁用に予め定めた上限閾値Δｔｐ(Max)を超えた所で、次の記録媒体に移る改頁を行って、ルーチンを終了する。
【００９０】
次に、ステップ４０２で、分割された筆記内容を時系列に並べて表示部４２に表示すると共に、頁区切り線７８を表示部４２に表示する。利用者は、カーソル７６により頁区切り線７８を移動させて頁区切りの位置を設定し、頁区切りの実行を指示する。
【００９１】
次に、ステップ４０６で、頁区切り実行の指示があったか否かを判断する。頁区切り実行の指示が無い場合はステップ４０６で繰り返し判断する。一方、頁区切り実行の指示がある場合はステップ４０８に進む。次に、ステップ４０８で、頁区切り実行の指示に応じて、設定された位置で次の記録媒体に移る改頁を行って、ルーチンを終了する。
【００９２】
＜設定する時間間隔の他の一例＞
上記の実施の形態では、図１０に示すように、ペンアップから次のペンダウンまでの時間間隔Δｔに対し、上限閾値Δｔ(Max)を設定する。そして、時間間隔Δｔが上限閾値Δｔ(Max)を超えるストローク間で、電子ペンの筆記内容を分割する。しかしながら、設定される時間間隔は、ペンアップから次のペンダウンまでの時間間隔には限定されない。
【００９３】
複数頁の記録媒体に電子ペンで筆記する場合、文章に含まれる文、文節、単語、文字等を記載するには一定の時間を要すると考えられる。従って、図１８に示すように、文又は文節を筆記するのに要する時間間隔Δｔを設定することで、文又は文節を表す複数のストローク群に分割することができる。例えば、時間間隔Δｔは、１０秒等、１秒から１００秒までの範囲の時間間隔とすることができる。
【００９４】
この場合でも、複数のストローク群を時系列に表示すると共に、時系列に表示された複数のストローク群の群と群の間に頁区切りを設定する改頁手段を利用者に提供することで、同じ符号画像が形成された複数頁の記録媒体に電子ペンで筆記する場合に、利用者により頁区切りが認識及び設定される。
【００９５】
文又は文節を筆記するのに要する時間間隔Δｔを設定する場合は、上記の「筆記内容分割処理」は不要となる。図１９は筆記内容表示処理の手順の他の一例を示すフローチャートである。図１４のステップ１０２の「筆記内容分割処理」の代わりに、ステップ１００の次に、ステップ６００で、文又は文節を筆記するのに要する時間間隔Δｔ毎に、筆記内容を複数のストローク群に分割する。それ以外は、図１４に示す手順と同様であるため、説明を省略する。
【００９６】
なお、上記実施の形態で説明した筆記情報管理装置、筆記情報管理システム、及びプログラムの構成は一例であり、本発明の主旨を逸脱しない範囲内においてその構成を変更してもよいことは言うまでもない。
【００９７】
例えば、上記実施の形態では、「９Ｃ２パターン」と称される特定の単位パターンを使用するドットコードの例について説明したが、単位パターンのサイズ、ドットの配置、選択するドットの個数等は、適宜変更してもよい。また、ＱＲコード（登録商標）、アノトコード、グリフコード等、異なる体系のドットコードを用いてもよい。
【００９８】
アノトコードでは、仮想的な格子枠を配置し、この格子の交差点で区切られる４つの領域のいずれか１つにドットを配置する。これにより４種類のパターンを表現することが可能となり、２ビットを表現することができる（特表２００３−５１１７６２号公報）。また、グリフコードでは、グリフと呼ばれる右斜めと左斜めの直線で１ビットを表現している（特開平９−１８５６６９号公報）。右斜めの直線と左斜めの直線の各々は、複数のドットで構成されている。
【符号の説明】
【００９９】
１０   筆記情報管理システム
２０、２０１、２０２ 記録媒体
２２、２２１、２２２ メッセージ
２４、２４１、２４２ 記入欄
２６   符号パターン
２６Ａ 同期符号
２６Ｂ 位置符号
２６Ｃ 位置符号
２６Ｄ 識別符号
２８   単位パターン
２８Ａ 黒色領域
２８Ｂ グレー領域
２８Ｃ 白色領域
３０   電子ペン
３０Ａ ペン先
３１   ペンチップ
３２   圧力検知部
３３   赤外線照射部
３４   画像読取部
３５   記憶部
３６   通信部
３７   電源
３８   時間計測部
３９   制御部
３９Ａ 画像処理部
３９Ｂ 情報処理部
４０   筆記情報管理装置
４１   制御部
４１Ｄ 不揮発性メモリ
４２   表示部
４３   操作部
４４   通信部
４５   記憶部
５０１、５０２       筆記内容
５２   筆記内容の重なり
６０   表示画面
６１   ペンＩＤ入力部
６２   用紙ＩＤ入力部
６３   時間設定部
６４   選択部時間設定部
６５   筆記表示
６７   筆記選択
６８   適用
６９   中止
７０   筆記内容表示部
７２   スクロールバー
７４   スクロール部
７６   カーソル
７８   線
８０、８０１、８０２、８０３、８０４、８０５、８０６    ブロック
【図５】
2016081218.tif 000003
【図６】
2016081218.tif 000004
【図７】
2016081218.tif 000005
【図８】
2016081218.tif 000006
【図９】
2016081218.tif 000007
【図１０】
2016081218.tif 000008
【図１１】
2016081218.tif 000009
【図１２】
2016081218.tif 000010
【図１３】
2016081218.tif 000011
【図１４】
2016081218.tif 000012
【図１５】
2016081218.tif 000013
【図１６】
2016081218.tif 000014
【図１７】
2016081218.tif 000015
【図１８】
2016081218.tif 000016
【図１９】
2016081218.tif 000017
【図１】
2016081218.tif 000018
【図２】
2016081218.tif 000019
【図３】
2016081218.tif 000020
【図４】
2016081218.tif 000021